(57)【要約】【課題】  下枠に対する縦骨の浮き上がりを防止することで、水の浸入を防止できるサッシを提供する。【解決手段】  本発明にかかるサッシ１において、下枠１７は、室外側縦壁１７ｂと、室内側縦壁１７ａと、室外側縦壁と室内側縦壁との間で見込面から上方に立設して上端部に押縁係止部１６を設けた押縁係止片１７ｃとを有し、室外側縦壁の上端部には室内側へ突設する押縁支持部１８が設けてあり、室内側縦壁には室外側面の長手方向に亘ってタイト材ホルダ２０が設けてあり、押縁２２は、押縁支持部１８に載置して押縁係止部１６に係止してあり、パネル７ａを室内側縦壁１７ａに向けて押さえており、下枠１７の縦骨取付位置には、押縁係止片１７ｃとタイト材ホルダ２０と押縁支持部１８を切除して、室外側縦壁と室内側縦壁との間に縦骨２１の下端部を挿入してあると共に縦骨２１の下端部を室外側縦壁１７ｂにねじ６５で固定してある。【選択図】図１１
2018141368.tif 000002
【特許請求の範囲】
【請求項１】
上枠と、下枠と、上枠と下枠間に設けた縦骨と、パネルと、押縁とを備え、下枠は、室外側縦壁と、室内側縦壁と、室外側縦壁と室内側縦壁との間で見込面から上方に立設して上端部に押縁係止部を設けた押縁係止片とを有し、室外側縦壁の上端部には室内側へ突設する押縁支持部が設けてあり、室内側縦壁には室外側面の長手方向に亘ってタイト材ホルダが設けてあり、パネルは下枠の室内側縦壁と押縁の間に配置してあり、押縁は押縁支持部に載置して押縁係止部に係止してあり、下枠の縦骨取付位置には、押縁係止片と室内側縦壁のタイト材ホルダと室外側縦壁の押縁支持部を切除して、室外側縦壁と室内側縦壁との間に縦骨の下端部を挿入してあると共に縦骨の下端部を室外側縦壁にねじで固定してあることを特徴とするサッシ。
【発明の詳細な説明】
【技術分野】
【０００１】
本発明は、縦骨を備えるサッシに関する。
【背景技術】
【０００２】
下枠と、上枠と、上枠と下枠間に設けた縦骨とに押縁でパネルを固定するＦＩＸサッシが公知である。かかるＦＩＸサッシでは、下枠の上端に縦骨の下端部を当接して固定していた。
【先行技術文献】
【特許文献】
【０００３】
【特許文献１】なし
【発明の概要】
【発明が解決しようとする課題】
【０００４】
しかし、パネルの室外側に正圧が生じると、下枠に対して縦骨が浮き上がり、下枠との間に隙間が生じて、その隙間から室内側に水が浸入するおそれがあった。
【０００５】
そこで、本発明は、下枠に対する縦骨の浮き上がりを防止することで、水の浸入を防止できるサッシの提供を目的とする。
【課題を解決するための手段】
【０００６】
請求項１に記載の発明は、上枠と、下枠と、上枠と下枠間に設けた縦骨と、パネルと、押縁とを備え、下枠は、室外側縦壁と、室内側縦壁と、室外側縦壁と室内側縦壁との間で見込面から上方に立設して上端部に押縁係止部を設けた押縁係止片とを有し、室外側縦壁の上端部には室内側へ突設する押縁支持部が設けてあり、室内側縦壁には室外側面の長手方向に亘ってタイト材ホルダが設けてあり、パネルは下枠の室内側縦壁と押縁の間に配置してあり、押縁は押縁支持部に載置して押縁係止部に係止してあり、下枠の縦骨取付位置には、押縁係止片と室内側縦壁のタイト材ホルダと室外側縦壁の押縁支持部を切除して、室外側縦壁と室内側縦壁との間に縦骨の下端部を挿入してあると共に縦骨の下端部を室外側縦壁にねじで固定してあることを特徴とするサッシである。
【発明の効果】
【０００７】
請求項１に記載の発明によれば、縦骨の下端部は、下枠の室外側縦壁と室内側縦壁との間に挿入して室外側縦壁にねじで固定してあるので、サッシの室外側で正圧が生じた場合でも縦骨が下枠に対して浮き上がるのを防止することで、縦骨と下枠との間から室内側へ水が浸入するのを防止できる。
【図面の簡単な説明】
【０００８】
【図１】本発明の第１実施の形態にかかるサッシであって、障子閉鎖状態における横断面図である。
【図２】図１に示すサッシであって、引戸障子を開いて網戸を展開した状態の図であり、（ａ）は展開した網戸及びその周囲部分の横断面図、（ｂ）は（ａ）に示すＡ−Ａ断面図であり、（ｃ）は（ｂ）に示すＣ−Ｃ断面図である。
【図３】図２（ａ）に示すＢ−Ｂ断面図である。
【図４】図１に示すＥ−Ｅ位置における下枠の断面図である。
【図５】本発明の第１実施の形態にかかるサッシにおいて引戸障子を省略して示す縦断面図であり、（ａ）は図２に示すＪ−Ｊ位置で切断した図、（ｂ）はＫ−Ｋ位置で切断した図である。
【図６】図１のＦ−Ｆ断面図である。
【図７】図１に示す防虫タイト材の横断面図である。
【図８】網戸を展開した状態のサッシを室内側から見た正面図である。
【図９】図１に示すサッシにおいて、網戸を外した状態の横断面図である。
【図１０】本発明の第１実施の形態であって、図１に示す縦骨と下枠との接合部分を示す図であり、（ａ）は室外側から見た正面図であり、（ｂ）は（ａ）に示すＭ−Ｍ位置における横断面図であり、（ｃ）は（ａ）に示すＮ−Ｎ位置における断面図であり引戸障子とＦＩＸ障子を含む下枠全体の断面図である。
【図１１】本発明の第１実施の形態であって、図１に示す縦骨と下枠との接合部分を示す分解斜視図である。
【図１２】（ａ）は縦骨の横断面図であり、（ｂ）は（ａ）に示すＹ−Ｙ位置における縦骨と下枠との断面図である。
【図１３】補強材の図であり、（ａ）は正面図であり、（ｂ）は平面図であり、（ｃ）は側面図である。
【図１４】本発明の第２実施の形態であって、縦骨と下枠との接合部分を示す図であり、図１０（ｃ）に対応する断面図である。
【発明を実施するための形態】
【０００９】
以下に、添付図面を参照して本発明の第１実施の形態を説明する。  
図８に示すように、本発明の第１実施の形態にかかるサッシ１は、枠３と、引戸障子５と、ＦＩＸ障子７と、網戸９とを備えている。  
枠３は、戸先縦枠（縦枠）１１と、戸尻縦枠１３と、上枠１５と、下枠１７とを四周に組んである。  
ＦＩＸ障子７は、縦骨２１と戸尻縦枠１３と上枠１５と下枠１９と、これらに四周を取付けたパネル７ａとで構成してある。  
引戸障子５は、戸先縦枠１１に対向する戸先框１９を有し、網戸９は、引戸障子５の戸先框１９と戸先縦枠１１との間に着脱自在に設けてあり、戸先框１９と戸先縦枠１１との間で巾Ｌの寸法を網戸展開領域８として展開自在になっている。巾Ｌは例えば、１０ｃｍである。  
【００１０】
図１及び図２に示すように、戸先縦枠１１は、内周側見込壁１１ａと、内周側見込壁１１ａの室内側から内周側に突設する内周側見付壁１１ｂを有している。  
図１に示すように、戸尻縦枠１３には、ＦＩＸ障子７のパネル７ａを取付ける室内側壁１３ａと室外側壁１３ｂとが形成されている。  
図６に示すように、上枠１５には、引戸障子５の移動を案内する案内レール１５ｃと、案内レール１５ｃの室内側にＦＩＸ障子７のパネル７ａを取付ける室内側壁１５ａと室外側壁１５ｂとが設けてある。また、図５（ａ）に示すように、上枠１５の室内側部において、障子展開領域８とＦＩＸ障子７との間では、室内側壁１５ａと室外側壁１５ｂに上枠キャップ２３が装着してある。図５（ｂ）に示すように、網戸展開領域８では、室内側壁１５ａと室外側壁１５ｂに網戸案内キャップ２５が装着してある。  
図６に示すように、下枠１７の室外側には、その長手方向に亘って、引戸障子５の走行レール２７が設けてあり、走行レール２７の室内側には室外側縦壁１７ｂと室内側縦壁１７ａと、室外側縦壁１７ｂと室内側縦壁１７ａとの間で見込面に設けた押縁係止片１７ｃとが設けてある。  
図６及び図１１に示すように、室外側縦壁１７ｂの上端部には室内側へ突設する押縁支持部１８が設けてあり、室内側縦壁１７ａには室外側面の長手方向に亘ってタイト材ホルダ２０が設けてある。押縁係止片１７ｃは、下枠１７の見込面から上方に立設して上端部に室外側に突出した押縁係止部１６が設けてある。  
図６に示すように、下枠１７において、ＦＩＸ障子７の位置には押縁２２が設けてあり、押縁２２は、押縁支持部１８に載置すると共に押縁係止部１６に係止して、パネル７ａを下枠１７の室内側縦壁１７ｂに向けて押さえている。尚、図６及び図１に示すように、上枠１５、戸尻側縦枠１３、及び縦骨２１には下枠１７と同様に、押縁２２、押縁係止部１６及び押縁支持部１８が設けてある。  
図６に示すように、下枠１７において、室外側縦壁１７ｂの下には、室外側面にタイト材ホルダ３０が設けてあり、タイト材ホルダ３０が保持した下室外側タイト材３０ａが引戸障子５を開いたときに引戸障子５の下框７７の室内側面に当接するようにしている。また、上枠１５の室外側壁１５ｂに引戸障子５の上框７２の室内側面に当接する上室外側タイト材３０ｂが設けあり、図１に示すように、戸先縦枠１１には、閉状態にある引戸障子５の戸先框１９の室内側見付面１９ａに当接する戸先室外側タイト材３０ｃが戸先縦枠１１の長手方向に亘って設けてある。  
図５（ｂ）に示すように、網戸展開領域８（図２参照）において、上枠１５には網戸９の上端部を呑み込む網戸案内溝１５ｄが形成してあり、下枠１７にも網戸９の下端部を呑み込む網戸案内溝１７ｄが形成してある。  
図５（ａ）（ｂ）に示すように、下枠１７において、縦骨２１と戸先縦枠１１との間には、下枠１７の室外側縦壁１７ｂと室内側縦壁１７ａに下枠キャップ３１が取付けてある。図５（ｂ）に示すように、下枠キャップ３１の室内側には網戸案内溝１７ｄが形成してあり、図５（ａ）及び図２に示すように、網戸展開領域８と縦骨２１との間では、下枠キャップ３１の網戸案内溝１７ｄに溝閉鎖キャップ２８を取付けて、網戸展開領域８のみに網戸案内溝１７ｄが露出するようにしてある。  
図１に示すように、縦骨２１にはその室外側面の長手方向にタイト材ホルダ３２と、煙返し３４とが設けてある。  
【００１１】
引戸障子５は、図１に示すように、戸先框１９に室内側見付壁１９ａと、室内側見付壁１９ａの内周側から室内側へ突設する室内側見込壁１９ｂを備えている。  
引戸障子５を閉じた状態のときに、室内側見込壁１９ｂの室内側端は戸先縦枠１１の内周側見付壁１１ｂの内周側端に対応する位置に配置してある。  
室内側見込壁１９ｂには網戸取付部３３と網戸取付部３３の室内側に設けた網戸収納部３５とが形成してある。網戸取付部３３には、その長手方向に亘って磁性部材３６が取付けてあり、網戸収納部３５には後述する網戸可動桟３７が配置されている。  
引戸障子５の召合せ框３８には、その戸尻側端部には召合せ框３８の長手方向に亘って防虫タイト材４０が取付けてある。防虫タイト材４０は、召合せ框３８に取付ける取付部４０ａと、ＦＩＸ窓７の室外側面に当接する先端部４０ｂとを有している。図７に示すように、先端部４０ｂには、切り取り自在部４０ｃが形成してあり、必要に応じて切り取り自在部４０ｃで切り取り、先端部４０ｂの長さを調整自在にしてある。切り取り自在部４０ｃは太さを細くした括れである。  
【００１２】
図１及び図２に示すように、網戸９は、戸先縦枠１１の内周側見込壁１１ａの室内側部に取付ける枠側被取付部３９と、戸先框１９の網戸取付部３３に取付ける框側被取付部４１と、網戸可動桟３７と、網４２とを備えている。  
枠側被取付部３９は戸先縦枠１１の内周側見込壁１１ａにねじ４３で固定してある。
框側被取付部４１は、マグネット４５を備え、マグネット４５で戸先框１９の磁性部材３６に磁力により吸着してある。  
網戸可動桟３７は框側被取付部４１の室内側に設けてあり、網戸収納部３５に配置してある。  
網４２は、折畳み網であり、見付方向に山折と谷折りを交互にしてあり、戸先枠側端は枠側被取付部３９に固定してあり、戸先框側端は網戸可動桟３７に固定してある。  
網４２の上端部と下端部と上下方向中間部とには、各々垂れ防止ワイヤ４７が挿通してある。上端部と下端部との垂れ防止ワイヤ４７は後述するワイヤ巻取部４９に巻き掛けてある。  
図５（ｂ）に示すように、網戸可動桟３７の上端部と下端部とには、各々車輪５１が設けてあり、対応する下枠１５及び上枠１７とにスムーズに移動するようにしてある。  
【００１３】
ここで、引戸障子５の開き位置を制限する障子ストッパー５３及び網戸９の展開領域８を制限する網戸ストッパー５５について説明する。  
図２及び図３に示すように、引戸障子５の戸先框１９には、その室内側見込壁１９ｂの戸尻側面には、網戸取付部３３に対応する位置にストッパー補助材５７が取付けてある。一方、図２に示すように、下枠１７には、網戸展開領域８の戸尻側端に、障子ストッパー５３が取付けてある。この障子ストッパー５３は、下枠キャップ３１（図５（ａ）参照）に取付ける台座５９と、台座５９から上方に出没自在に設けたストッパー本体６１を備え、操作部５７ａを下方に押し操作することで下枠キャップ３１の上面に突出するようになっている。  
また、図２（ｂ）に示すように、下枠１７の網戸案内溝１７ｄ（図５（ｂ）参照）において、その戸尻側端には障子ストッパー５３の室内側に、網戸ストッパー５５が取付けてある。  
図２（ａ）（ｂ）に示すように、網戸ストッパー５５には、網戸可動桟３７が当接する網戸当接部５５ａが網戸案内溝１７ｄ側に突出して設けてあり、この網戸ストッパー５５は網戸案内溝１７ｄの戸尻側端で図５（ｂ）に示す下枠キャップ３１に装着した溝閉鎖キャップ２８（図２（ｃ）参照）に装着してある。  
また、網戸案内溝１７ｄにおいて、網戸ストッパー５５の網戸当接部５５ａの下側には、ワイヤ巻取部４９が網戸案内溝１７ｄの底にねじ６２で固定してある。  
障子ストッパー５３が戸先框１９のストッパー補助材５７に当接している位置では、網戸ストッパー５５は網戸可動桟３７との間に隙間Ｓを形成してあり、未だ網戸可動桟３７に当接していない位置にある。  
【００１４】
次に、縦骨２１と下枠１７との固定部分について説明する。図１０及び図１１に示すように、下枠１７の縦骨取付位置には、室内側縦壁１７ａのタイト材ホルダ２０と室外側縦壁１７ｂの押縁支持部１８と、押縁係止片１７ｃとを切除して、室内側縦壁１７ａと室外側縦壁１７ｂの間に縦骨２１の下端部を挿入してある。また、下枠１７の室外側縦壁１７ｂは、縦骨２１のタイト材ホルダ３２に対応する部分を切除している。  
図１１〜図１３に示すように、下枠１７の縦骨２１を取付ける位置には、補強材８１が取付けてあり、補強材８１に縦骨２１が固定してある。補強材８１は、底壁部８１ａと、底壁部８１の左側（室外側から見て左側）に設けた左壁部８１ｂと右側（室外側から見て右側）に設けた右壁部８１ｃとを有し、底壁部８１ａと、左壁部８１ｂと、右壁部８１ｃとで断面略コ字形状を成しており、左壁部８１ｂはＦＩＸ障子７のパネル７ａ側に位置している。  
図１２に示すように、底壁部８１ａは上から止めるねじ８３で下枠１７の見込面に固定してあり、左壁部８１ｂは縦骨２１のパネル側壁２１ａにねじ８５で固定してある。
縦骨２１の下端部は下枠１７の室外側縦壁１７ｂに止水部材６３を介してねじ６５で固定してある。  
止水部材６３は、下枠１７の室外側に設けたタイト材ホルダ３０に取付けた下室外側タイト材３０ａと縦骨のタイト材ホルダ３２に取付けた縦骨タイト材３２ａとの端部に当接して連続した止水を図っている。  
尚、下枠１７のタイト材ホルダ３０を切除した切除部６７は、引戸障子５を立て込むときに引戸障子５に設けた外れ防止具６９（図１０（ｃ）参照）を下枠１７に挿入するためのものである。  
また、縦骨２１の上端部も下枠１７と同様に、上枠１５の取付位置に対応する縦骨２１の上端部では煙返し３４を切除してあると共に、上枠１５の室外側壁１５ｂ（図６参照）と室内側壁１５ａとの間に挿入して固定してある。  
【００１５】
ここで、各枠及び框の見付寸法について説明する。図９に示すように、戸先縦枠１１の内周側見付壁１１ｂの見付寸法Ｐは、戸先框１９の室内側見付壁１９ａの見付寸法Ｑと略同じ寸法としてある。また、引戸障子５の召合せ框３８の見付寸法Ｒ、縦骨２１の室内側見付寸法Ｔ、及び戸尻縦枠１３の室内側見付寸法Ｕを略同じ寸法としてある。図６に示すように、上枠１５の室内側見付面の下端７１と引戸障子５の上框７２の下端７３を略一致する位置にしてあり、下枠１７においても下枠１７の上端７５と引戸障子５の下框７７の上端７９とを略一致する寸法にしてある。  
【００１６】
第１実施の形態にかかるサッシの施工について説明する。  
図８に示すように、上枠１５、下枠１７、戸先縦枠１１、戸尻縦枠１３を枠組みし、縦骨２１の上端部を上枠１５に嵌め入れ、下端部を下枠１７に取付ける。  
図１０及び図１１に示すように、縦骨２１の下端部では、煙返し３４を切除し、下枠１７の縦骨２１を取付け箇所では、補強材８１の底壁部８１ａをねじ８３で固定する。  
また、縦骨２１の取付け箇所では、室内側縦壁１７ａの室内側タイト材ホルダ２０と、室外側縦壁１７ｂの押縁支持部１８と、押縁係止片１７ｃとを切除して、更に縦骨２１のタイト材ホルダ３２に対応する位置で室外側縦壁１７ｂを切除して、縦骨２１の内部に補強材８１の左右壁部８１ｂ、８１ｃを挿入するようにして、下枠１７の室内側縦壁１７ａと室外側縦壁１７ｂとの間に縦骨２１の下端部を挿入し、縦骨２１のパネル側壁２１ａにねじ８５で補強材８１に固定すると共に、室外側縦壁１７ｂに室外側から止水部材６３を当ててねじ６５で固定する。  
止水部材６３は、下枠１７の下室外側タイト材３０ａと縦骨２１の縦骨タイト材３２ａとに当接して取付ける。  
縦骨２１の上端部は、上枠１５の室内側壁１５ａと室外側壁１５ｂとの間に配置して上枠１５に取り付けてある。尚、縦骨２１の上端部では、上枠１５の上室外側タイト材３０ｂと縦骨２１の縦骨タイト材３２ａとを当接させてタイト材３０ｂ、３２ａを連続してある。  図１及び図６に示すように、ＦＩＸ障子７では、戸尻縦枠１３と、縦骨２１と、上枠１５と、下枠１７とで囲まれる内周側にパネル７ａを配置して、各枠１３、１５、１７及び縦骨２１に押縁２２でパネル７ａを固定する。  
図６に示すように、引戸障子５は、下枠１７の切除部６７から外れ防止具６９を挿入して枠３内に建て込む。  
一方、図４及び図２に示すように、下枠１７において縦骨２１と戸先縦枠１１との間は、室内側縦壁１７ａと室外側縦壁１７ｂとに下枠キャップ３１を取付け、更に網戸開閉領域８と縦骨２１との間の下枠キャップ３１には溝閉鎖キャップ２８を取付ける。  
【００１７】
網戸９の取り付けは、図２に示す溝閉鎖キャップ２８を下枠キャップ３１から外して網戸案内溝１７ｄを露出して、引戸障子５を開いた状態で、網戸９の上下を斜めにして下枠１７の網戸案内溝１７ｄと、上枠１５の網戸案内溝１５ｄとに挿入する。  
その後、図９に示す網戸９の取り付け前の状態において、引戸障子５を少し開き、図１に参照されるように、枠側被取付部３９を戸先縦枠１１の室内側見込壁１１ａにねじ４３で固定し、引戸障子５の戸先框１９において、網戸取付部３３に磁性部材３６を固定し、磁性部材３６に網戸９の框側被取付部４１に取付けたマグネット４５を吸着固定すると共に網戸可動桟３７を網戸収納部３５に対向配置する。  
一方、図５（ｂ）に示すように、網戸開閉領域８（図２参照）では、上枠１５の下面に網戸案内キャップ２５を取付け、網戸開閉領域８と他の障子７との間では、図２及び図５（ａ）に示すように、上枠１５には上枠キャップ２３を取付け、図２に示すように、下枠キャップ３１には障子ストッパー５３を取付け、更に溝閉鎖キャップ２８に網戸ストッパー５５を取付ける。  
また、垂れ防止ワイヤ４７をワイヤ巻取部４９に掛けて、ワイヤ巻取部４９を下枠１７の網戸案内溝１７ｄの底にねじ６２で固定する。  
【００１８】
次に、第１実施の形態にかかるサッシの作用及び効果について説明する。  
図１０及び図１１に示すように、縦骨２１の下端部は、下枠１７の室外側縦壁１７ｂと室内側縦壁１７ａとの間に収納して室外側縦壁１７ｂにねじ６５で固定してあるので、サッシ１の室外側で正圧が生じた場合でも縦骨２１が下枠１７に対して浮き上がるのを防止でき、縦骨２１と下枠１７との間から室内側へ水が浸入するのを防止できる。  
【００１９】
縦骨２１は、その長手方向に亘って設けた煙返し３４を備えているが、下枠１７の縦骨取付位置では、煙返し３４を切除してあるから、煙返しが邪魔にならないで組み立てできる。  
下枠１７は室外側に長手方向に亘って設けた下室外側タイト材３０ａを備え、縦骨２１は室外側に縦骨タイト材３２ａを備え、下枠１７の室外側縦壁１７ｂを切除して、下室外側タイト材３０ａと縦骨タイト材３２ａとを当接させているので、下室外側タイト材３０ａと縦骨タイト材３２ａとの間から水が浸入するのを防止できる。  
更に、下室外側タイト材３０ａと縦骨タイト材３２ａとの当接部近傍では、止水部材６３が下室外側タイト材３０ａと縦骨タイト材３２ａとに当接してあるから、下室外側タイト材３０ａと縦骨タイト材３２ａとの当接部に風圧や水圧がかかった場合に、これらの当接部が離れて水が室内側へ浸入するのを防止できる。  
止水部材６３は縦骨２１を下枠１７に止めるねじ６５で下枠１７に固定してあり、縦骨２１を下枠１７に止めるねじ６５を利用して止水部材６３を固定しているので、部品点数を少なくできる。  
縦骨２１は下枠１７の室内側縦壁１７ａと室外側縦壁１７ｂとで挟持し室内外方向の位置ずれを防止し、室外側縦壁１７ｂの押縁支持部１８を切除した箇所に嵌め入れていると共に下枠タイト材ホルダ２０を切除した部分に嵌め入れて左右方向の位置ずれを防止しているので、下枠１７に対する縦骨２１の室内側方向及び左右方向の組ずれを防止できる。
縦骨２１は、下枠１７に固定した断面コ字形状の補強材８１にパネル７ａ側から止めるねじ８５でパネル側壁２１ａに固定し、室外側縦壁１７ｂに室外側から止めるねじ６５で固定してあるので、各ねじ８５、６５の露出を少なくして縦骨２１を下枠１７に強固に固定できる。  
【００２０】
また、第１実施の形態にかかるサッシ１によれば、図１に示すように、障子閉鎖時には、網戸９は網戸収納空間１２に収まり、室内側からは戸先縦枠１１の内周側見付壁１１ｂで隠れ、室外側からは戸先框１９で隠れるので、網戸９の非使用時に網戸９が露出しないから意匠性が良い。また、障子閉鎖時には、室内側からは戸先縦枠１１の内周側見付壁１１ｂと戸先框１９の室内側見込壁１９ｂとで隠れるので、この点からも網戸９の非使用時に網戸９が室内側に露出しないから意匠性が良い。  
網戸９は戸先縦枠１１の内周側見込壁１１ａと戸先框１９の室内側見込壁１９ｂとの間に着脱自在であるから、図９に示すサッシ１に網戸９を後付可能であると共に網戸９のメンテナンスが容易にできる。  
【００２１】
図２に示すように、引戸障子５の開き位置を規制する障子ストッパー５３と、網戸ストッパー５５とが設けてあり、引戸障子５が障子ストッパー５３に当接したときには、網戸９と網戸ストッパー５５との間に隙間Ｓ（図２（ｂ）参照）があり、障子ストッパー５３を解除して、引戸障子５をさらに開くと、網戸９の網戸可動桟３７が網戸ストッパー５５に当接して、マグネット４５で網戸取付部３３に吸着している框側被取付部４１が外れることで、網戸９を残して引戸障子５のみが移動する。  
このように、引戸障子５を開く動作で網戸９を引き出し、引戸障子５を障子ストッパー５３に当接することで、網戸９を展開（使用）した状態で引戸障子５を小開状態でストップさせて換気することができる。  
そして、障子ストッパー５３を解除した後、引戸障子５をさらに開くことで、網戸９が網戸ストッパー５５に当接して展開した網戸９を残した状態で引戸障子５だけが開くので、引戸障子５を大きく開ける際に、網戸９を引戸障子５から取外す作業が不要になり、操作性が良い。  
図５（ｂ）に示すように、上枠１５及び下枠１７にはその長手方向に各々網戸案内溝１５ｄ、１７ｄが形成してあり、網戸案内溝１５ｄ、１７ｄに網戸９の下端及び上端が呑み込まれているので、網戸９が倒れずに安定して展開できる。  
垂れ防止ワイヤ４７のワイヤ巻取部４９を有しているので、網戸９を安定して展開できる。  
ワイヤ巻取部４９は、下枠１７の網戸案内溝１７ｄの底面にねじ６２で固定しているので、網戸ストッパー５５を溝閉鎖キャップ２８に取付ける前は、ねじ６２が下枠１７の見込面に露出するので、後付けが容易で、メンテナンスが容易である。  
網戸９は引戸障子５の戸先框１９と追従する網戸可動桟３７を有し、網戸可動桟３７の移動により網戸９が展開及び収縮するから、このような網戸可動桟３７を設けることで、網戸９を安定して展開及び収縮できる。  
また、網戸９の取り付けは、図２に示す溝閉鎖キャップ２８を外して、引戸障子５を開いた状態で、網戸９の上下を斜めにして下枠１７の網戸案内溝１７ｄと、上枠１５の網戸案内溝１５ｄとに挿入して建込みできるから、施工が容易にできる。  
網戸収空間１２を形成する網戸収納部３５の室外側に網戸取付部３３を設けたことで、網戸９を網戸収納空間１２にコンパクトに納めることができる。また、網戸収納空間１２を大きくしないで済むから、図９に示すように、戸先縦枠１１の内周側見付壁１１ｂの左右方向の見付寸法Ｐを、縦骨２１及び網戸９が付かない戸尻縦枠１３との各左右方向の見付寸法Ｔ、Ｕを統一できるので意匠性が良い。  
図１に示すように、網戸９は、戸先縦枠１１の内周側見込面１１ａ及び内周側見付壁１１ｂと、戸先框１９の内周側見付壁１９ａ及び室内側見込壁１９ｂとで囲まれた網戸収納空間１２に収納する構成であるから、図９に示すように網戸を設けない場合でもサッシ１を同じ仕様にすることができ、網戸９を取付ける場合と取付けない場合とで室内側から見た意匠を略同じにできる。  
【００２２】
図１に示すように、引戸障子５の召合せ框３８に、ＦＩＸ障子７のパネル７ａ、上枠１５の室外側壁１５ｂ（図６参照）及び押縁２２、下枠１７の室外側壁１７ｂ（図６参照）及び押縁２２に当接する防虫タイト材４０を設けてあるので、引戸障子５をあけた状態でも、引戸障子５とＦＩＸ窓７との間から虫が入るのを防止できる。  
防虫タイト材４０は折り取り自在部４０ｃを有するので、ＦＩＸ障子７のガラス厚等に応じて切り取りして長さを調整できるので、施工が容易であり且つ部品点数を削減できる。  
図６及び図９に示すように、上枠１５の下端７１と、引戸障子５の上框７２の下端７３の位置を略同じにしてあり、下枠１７の上端７５と、引戸障子５の下框７７の上端７９の位置を略同じにしてあり、引戸障子５の戸先框１９の室内側見付壁１９ａの左右方向の見付寸法Ｑは戸先縦枠１１の内周側見付壁１１ｂの左右方向の見付寸法Ｐと略同じにしてあり、召合せ框３８の左右方向の見付寸法Ｒは、縦骨２１の左右方向の見付寸法Ｔと略同じにしてあるので、障子閉鎖時には引戸障子５の上框７２は上枠１５に、下框７７は下枠１７に、戸先框１９は戸先縦枠１１に、召合せ框３８は縦骨２１に室内側から見たときに重なって遮蔽されるので、意匠性が良い。尚、図９では網戸９を取付けていないが、図１に示すように網戸９を取付けた場合でも同様に意匠性が良い。  
図１及び図６に示すように、引戸障子５を閉じた状態では、引戸障子５の戸先框１９、召合せ框３８、上框７２及び下框７７の室内側面を、対応する戸先室外側タイト材３０ｃ、縦骨タイト材３２ａ、上室外側タイト材３０ｂ及び下室外側タイト材３０ａで連続して当接しているので、引戸障子５に対して室内側の水密を図ることができる。  
【００２３】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図１４に、本発明の第２実施の形態にかかるサッシ１の下枠部分の断面図を示す。この第２実施の形態にかかるサッシ１では、下枠１７の押縁係止片１７ｃの上端部に設けた押縁係止部１６が室内側に向けて突出していること及び押縁２２の形状が第１実施の形態と異なっている。  
押縁２２は、押縁係止部１６に室内側から係止する鉤状の被係止部２２ａを有すると共に、押縁支持部１８の下側（枠３の外周側）に係合可能な係合部２２ｂと、中空形成部２２ｃとが設けてある。尚、押縁２２の係合部２２ｂは上枠１５に取り付ける場合に押縁支持部１８に係合して落下するのを防止するものであり、中空形成部２２ｃは押縁の長手方向に亘って中空部を形成して強度を高めるものである。この第２実施の形態におけるその他の構成は、第１実施の形態と同様である。  
この第２実施の形態においても上述した第１実施の形態と同様の作用効果を奏することができる。  
【００２４】
本発明は、上述した実施の形態に限らず、本発明の要旨を逸脱しない範囲で種々変形可能である。  
例えば、サッシ１は、引戸であっても良い。  
ＦＩＸ障子７は、引戸５と共に設けることに限らず、サッシ１はＦＩＸ障子のみの構成としても良い。  
【符号の説明】
【００２５】
１    サッシ
７ａ  パネル
１５  上枠
１６  押縁係止部
１７  下枠
１７ａ  室内側縦壁
１７ｂ  室外側縦壁
１７ｃ  押縁係止片
１８    押縁支持部
２０    タイト材ホルダ
２１  縦骨
２２  押縁
６５  ねじ
【図１】
2018141368.tif 000003
【図２】
2018141368.tif 000004
【図３】
2018141368.tif 000005
【図４】
2018141368.tif 000006
【図５】
2018141368.tif 000007
【図６】
2018141368.tif 000008
【図７】
2018141368.tif 000009
【図８】
2018141368.tif 000010
【図９】
2018141368.tif 000011
【図１０】
2018141368.tif 000012
【図１１】
2018141368.tif 000013
【図１２】
2018141368.tif 000014
【図１３】
2018141368.tif 000015
【図１４】
2018141368.tif 000016
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
上枠と、下枠と、上枠と下枠間に設けた縦骨と、止水部材とを備え、下枠には室外側見付面の長手方向に下室外側タイト材が設けてあり、縦骨には室外側見付面の長手方向に亘って縦骨タイト材が設けてあり、下室外側タイト材の長手方向一端部の上面に縦骨タイト材の下端を当接してあり、止水部材は下室外側タイト材の長手方向一端部の端面と縦骨タイト材の下端部の側面とに当接していることを特徴とするサッシ。
【手続補正２】
【補正対象書類名】明細書
【補正対象項目名】０００６
【補正方法】変更
【補正の内容】
【０００６】
請求項１に記載の発明は、上枠と、下枠と、上枠と下枠間に設けた縦骨と、止水部材とを備え、下枠には室外側見付面の長手方向に下室外側タイト材が設けてあり、縦骨には室外側見付面の長手方向に亘って縦骨タイト材が設けてあり、下室外側タイト材の長手方向一端部の上面に縦骨タイト材の下端を当接してあり、止水部材は下室外側タイト材の長手方向一端部の端面と縦骨タイト材の下端部の側面とに当接していることを特徴とするサッシである。